(57)【要約】【課題】原液の注出口と炭酸水の注出口とが同一の注出ノズルに形成されている既存の飲料ディスペンサに対して容易に着脱することができる、泡立ち防止器具を提供する。【解決手段】炭酸飲料ディスペンサの泡立ち防止器具１は、泡立ち防止器具１の一端に設けられると共に炭酸飲料ディスペンサの注出ノズル１０の原液の注出口１２に着脱自在に接続される流入口３と、流入口３から流入した原液が流通する流通経路２と、泡立ち防止器具１の他端に設けられると共に流通経路２を流通した原液が注出される注出口４とを備えている。流入口３と注出口４とは、水平方向において所定距離Ｈだけ離れて設けられている。【選択図】図２
2019172305.tif 000002
【特許請求の範囲】
【請求項１】
炭酸飲料ディスペンサの泡立ち防止器具であって、
前記泡立ち防止器具の一端に設けられると共に前記炭酸飲料ディスペンサの注出ノズルの原液の注出口に着脱自在に接続される流入口と、
前記流入口から流入した原液が流通する流通経路と、
前記泡立ち防止器具の他端に設けられると共に前記流通経路を流通した原液が注出される注出口と
を備え、
前記流入口と前記注出口とは、水平方向において所定距離だけ離れて設けられる、飲料ディスペンサの泡立ち防止器具。
【請求項２】
前記流通経路は少なくとも２回曲げられ、前記注出口は鉛直下向きに開口する、請求項１に記載の泡立ち防止器具。
【請求項３】
前記泡立ち防止器具の形状はＳ字形である、請求項２に記載の泡立ち防止器具。
【請求項４】
前記泡立ち防止器具を前記注出ノズルのカバー部材に固定する結束具をさらに備える、請求項１〜３のいずれか一項に記載の泡立ち防止器具。
【発明の詳細な説明】
【技術分野】
【０００１】
この発明は、炭酸飲料ディスペンサの泡立ち防止器具に係り、特に原液の注出口と炭酸水の注出口とが同一の注出ノズルに形成されている炭酸飲料ディスペンサに取り付けられる泡立ち防止器具に関する。
【背景技術】
【０００２】
炭酸飲料ディスペンサは、原液（リカー）と炭酸水とを混合して、ハイボール等の炭酸割り飲料を注出する装置である。従来の炭酸飲料ディスペンサでは、原液の注出口と炭酸水の注出口とが同一の注出ノズルに形成されている構成が一般的である。
【０００３】
しかしながら、上記の構成では、空気中に放出された直後の高圧力の炭酸水に原液が混合することにより、グラスへ注出される前の空気中において、原液の成分・粘度を起因とする発泡が生じやすくなる。そのため、原液の種類によっては、グラスへ注出された際に液面上部に泡立ちが発生して注出の継続が困難になるという問題、および炭酸が抜けて高炭酸が損なわれるという問題があった。
【０００４】
特許文献１には、原液と炭酸水とが空気中で混合して発泡が生じることを防止するために、原液の注出ノズルと炭酸水の注出ノズルとを分離する構成が記載されている。
【先行技術文献】
【特許文献】
【０００５】
【特許文献１】特開２００３−１３７３９６号公報
【発明の概要】
【発明が解決しようとする課題】
【０００６】
しかしながら、特許文献１に記載の構成では、注出ノズルの設計時に、原液の注出口と炭酸水の注出口とを分離する必要がある。そのため、原液の注出口と炭酸水の注出口とが同一の注出ノズルに形成されている既存の炭酸飲料ディスペンサの場合には、注出ノズルを取り替える必要があり、手間がかかる。
【０００７】
この発明は、このような問題を解決するためになされたものであり、原液の注出口と炭酸水の注出口とが同一の注出ノズルに形成されている既存の飲料ディスペンサに対して容易に着脱することができる、泡立ち防止器具を提供することを目的とする。
【課題を解決するための手段】
【０００８】
上記の課題を解決するために、この発明に係る炭酸飲料ディスペンサの泡立ち防止器具は、泡立ち防止器具の一端に設けられると共に炭酸飲料ディスペンサの注出ノズルの原液の注出口に着脱自在に接続される流入口と、流入口から流入した原液が流通する流通経路と、泡立ち防止器具の他端に設けられると共に流通経路を流通した原液が注出される注出口とを備え、流入口と注出口とは、水平方向において所定距離だけ離れて設けられる。
【０００９】
好適には、流通経路は少なくとも２回曲げられ、注出口は鉛直下向きに開口する。
【００１０】
さらに好適には、泡立ち防止器具の形状はＳ字形である。
【００１１】
泡立ち防止器具を注出ノズルのカバー部材に固定する結束具をさらに備えてもよい。
【発明の効果】
【００１２】
この発明に係る炭酸飲料ディスペンサの泡立ち防止器具は、原液の注出口と炭酸水の注出口とが同一の注出ノズルに形成されている既存の飲料ディスペンサに対して容易に着脱することができる。
【図面の簡単な説明】
【００１３】
【図１】この発明の実施の形態１に係る泡立ち防止器具が取り付けられる、既存の炭酸飲料ディスペンサの注出ノズルの断面図である。
【図２】この発明の実施の形態１に係る泡立ち防止器具の外観と注出ノズルへの取り付け方法を示す図である。
【図３】この発明の実施の形態１に係る泡立ち防止器具を注出ノズルへ取り付けた状態における断面図である。
【図４】この発明の実施の形態１の変形例に係る泡立ち防止器具を注出ノズルへ取り付けた状態を示す図である。
【図５】この発明の実施の形態１の変形例に係る泡立ち防止器具を注出ノズルのカバー部材に拘束具で固定した状態を示す図である。
【図６】この発明の実施の形態１の変形例に係る泡立ち防止器具を注出ノズルのカバー部材に固定する拘束具の詳細を示す図である。
【発明を実施するための形態】
【００１４】
以下、この発明の実施の形態について添付図面に基づいて説明する。
実施の形態１．
図１は、この発明の実施の形態１に係る泡立ち防止器具１が取り付けられる、既存の炭酸飲料ディスペンサの注出ノズル１０の断面図である。注出ノズル１０には、炭酸水の注出口１１と原液の注出口１２とが形成されている。
【００１５】
図２は、この発明の実施の形態１に係る泡立ち防止器具１の外観と注出ノズル１０への取り付け方法を示す図である。また、図３は、泡立ち防止器具１を注出ノズル１０へ取り付けた状態における断面図である。
【００１６】
図２、図３に示されるように、泡立ち防止器具１はＳ字形の形状を有している。泡立ち防止器具１の内部は中空のパイプ構造であり、原液が流通可能な流通経路２が形成されている。泡立ち防止器具１の一端の開口部には、原液の流入口３が形成されている。泡立ち防止器具１の他端の開口部には、原液の注出口４が形成されている。
【００１７】
また、泡立ち防止器具１の流入口３の外周部には、注出ノズル１０の原液の注出口１２と泡立ち防止器具１の流入口３とを接続する接続部５が形成されている。図３に示されるように、接続部５によって、泡立ち防止器具１の流入口３は、注出ノズル１０の注出口１２に対して自由に着脱できるようになる。
【００１８】
炭酸飲料ディスペンサにおける炭酸割り飲料の注出時には、注出ノズル１０の注出口１１からは炭酸水が注出され、注出ノズル１０の注出口１２からは原液が注出される。この際、注出口１２から注出された原液は、泡立ち防止器具１の流入口３から内部の流通経路２に導かれ、流通経路２を流通した原液は、泡立ち防止器具１の他端に形成された注出口４から、図示しないグラス上部の空気中に放出される。
【００１９】
図２に示されるように、泡立ち防止器具１の流入口３と注出口４とは、水平方向（Ｘ−Ｙ平面に平行な方向）に所定距離Ｈだけ離れるように設けられている。そのため、注出ノズル１０の注出口１１から注出される炭酸水と、泡立ち防止器具１の注出口４から注出される原液とは、水平方向に一定距離だけ離れて注出される。これにより、原液と炭酸水とが図示しないグラスへ注出される前の空気中において混合して発泡が生じることが防止される。
【００２０】
以上説明したように、この発明の実施の形態１に係る炭酸飲料ディスペンサの泡立ち防止器具１は、泡立ち防止器具１の一端に設けられると共に炭酸飲料ディスペンサの注出ノズル１０の注出口１２に着脱自在に接続される流入口３と、流入口３から流入した原液が流通する流通経路２と、泡立ち防止器具１の他端に設けられると共に流通経路２を流通した原液が注出される注出口４とを備えており、流入口３と注出口４とは、水平方向において所定距離Ｈだけ離れて設けられている。
【００２１】
上記の特徴により、本願発明に係る泡立ち防止器具１は、炭酸水の注出口１１と原液の注出口１２とが同一の注出ノズル１０に形成されている既存の飲料ディスペンサに対して容易に着脱することができる。そのため、既に市場に流通している炭酸飲料ディスペンサに対しても、簡単に取り付けることができる。また、着脱の容易性に起因して、メンテナンスも容易である。さらに、泡立ちが発生しやすい飲料以外の飲料を注出する際には、泡立ち防止器具１を取り外すこともできる。
【００２２】
また、注出口４の開口する角度が鉛直下向き（−Ｚ軸の向き）に対して大きくなるほど、グラス内部に原液を注ぐことが困難になる。そのため、泡立ち防止器具１の流通経路２は少なくとも２回曲げられ、注出口４は鉛直下向きに開口することが好ましい。
【００２３】
また、泡立ち防止器具１が注出ノズル１０の炭酸水の注出口１１よりも下に張り出している部分が多いほど、泡立ち防止器具１がグラスの内部に干渉しやすくなる。特に、氷を入れる機会の多い飲料では、泡立ち防止器具１とグラスまたは氷とが接触しやすくなる。そのため、泡立ち防止器具１が注出ノズル１０の注出口１１よりも下に張り出す部分は、できるだけ少ない方がよい。
【００２４】
上記を考慮すると、泡立ち防止器具１の形状としては、Ｓ字形が好適である。ただし、図４の変形例に示されるように、Ｓ字形の形状において、曲げの方向および角度は自由に調節することができる。
【００２５】
また、泡立ち防止器具の脱落を防止するための脱落防止機構を設けてもよい。図５に示される例では、炭酸飲料ディスペンサの注出ノズル１０のカバー部材１３に２つの孔１４，１４を開け、図６に示されるような軟質樹脂によって形成された結束具６によって、Ｓ字形状の泡立ち防止器具２０１を注出ノズル１０のカバー部材１３に固定している。結束具６の材質は軟質樹脂であるため、ユーザの手で容易にねじって結束することができる。
【符号の説明】
【００２６】
１，２０１  泡立ち防止器具、２  流通経路、３  流入口、４  注出口、６  結束具、１０  注出ノズル、１２  原液の注出口、１３  カバー部材、Ｈ  所定距離。
【図１】
2019172305.tif 000003
【図２】
2019172305.tif 000004
【図３】
2019172305.tif 000005
【図４】
2019172305.tif 000006
【図５】
2019172305.tif 000007
【図６】
2019172305.tif 000008